(57)【要約】      （修正有）【課題】三角保護板と移動手摺りとの間の間隔を十分に確保でき、精度良く三角形状部での危険を検出可能な乗客コンベアの安全装置を提供する。【解決手段】建屋の水平天井部２あるいは隣接する乗客コンベアの外装部３に変位自在に取付けられる媒体８の反移動手摺側面へ三角保護板６を取付けたため、三角保護板６と移動手摺りの間の間隔を十分に確保することができる。従って、精度良く三角形状部での危険を検出可能な乗客コンベアの安全装置を提供することが可能である。【選択図】図１
2006327788.tif 000002
【特許請求の範囲】
【請求項１】
上下に離れた階床の相互間に傾斜して配置され、建屋の水平天井部あるいは隣接する乗客コンベアの外装部と、建屋の水平天井部あるいは隣接する乗客コンベアの外装部に対して交差するように走行する移動手摺りとの間に形成される三角形状部の空間固定された三角保護板へ一定以上の外力が働いた際、三角保護板の移動を検知し乗客コンベアを停止させる乗客コンベアの安全装置において、
前記三角保護板は、建屋の水平天井部あるいは隣接するコンベアの外装部に変位自在に取付けられる媒体の反移動手摺側面へ取付けたことを特徴とする乗客コンベアの安全装置。
【発明の詳細な説明】
【技術分野】
【０００１】
本発明は、乗客コンベアの安全装置に関する。
【背景技術】
【０００２】
従来の三角保護板の機能を図１，図２，図３にて説明する。
【０００３】
建屋の水平天井部２あるいは隣接する乗客コンベアの外装部３と、交差するように走行する移動手摺り１との間に形成される三角形状部の空間を有する乗客コンベアに乗客が乗り込み下階から上階へ走行するとき、物体が移動手摺り１を乗り越えて欄干４の外側にはみ出した状態で走行する可能性があり、物体が移動手摺り１を乗り越えて欄干４の外側にはみ出したままの状態で走行すると、建屋の水平天井部２あるいは隣接する乗客コンベアの外装部３と、交差するように走行する移動手摺り１との間に形成される三角形状部の空間に挟まれ、物体の破損、または乗客コンベアの損傷といった被害が発生する。
【０００４】
そのため建屋の水平天井部２ａあるいは隣接する乗客コンベアの外装部３と、交差するように走行する移動手摺り１との間に形成される三角形状部の空間を塞ぐ三角保護板５ａ，６ａが存在する。
【０００５】
三角保護板５ａ、６ａには建屋の水平天井部２ａあるいは隣接する乗客コンベアの外装部３にチェーンやワイヤーなどの吊下げ具７ａを取付け、チェーンやワイヤーなどの吊下げ具７ａに吊下げて使用する三角保護板５ａと建屋の水平天井部２ａあるいは隣接する乗客コンベアの外装部３に媒体８ａを固定治具９ａにて取付けさらに媒体８ａに固定治具９ａを用いて固定する三角保護板６ａがあり、外装部にチェーンやワイヤーなどの吊下げ具７ａを取付けチェーンやワイヤーなどの吊下げ具７ａに吊下げて使用する三角保護板５ａは、物体が移動手摺り１を乗り越えて欄干４の外側にはみ出したままの状態で走行しても、警告を与えるもので被害を直接的に防ぐことができるものではない。（エレ協標準  ＪＥＡＳ−Ａ４０６  においても可動警告板と称されている。）
媒体８ａ、固定治具９ａを用いて固定する三角保護板６ａは、物体が移動手摺り１を乗り越えて欄干４の外側にはみ出したままの状態で走行すると、物体を強制的に乗客コンベア幅方向中心寄りに誘導する機能をもつが、移動手摺り１ａを乗り越えて欄干４の外側にはみ出した物体の状態によっては誘導がスムーズに行うことができず、三角保護板６ａが破損してしまう。さらにそのまま運転し続けると物体の破損、または乗客コンベアの損傷といった被害が発生する。
【０００６】
建屋の水平天井部２ａあるいは隣接する乗客コンベアの外装部３と、交差するように走行する移動手摺り１との間に形成される三角形状部の空間に物体が進入すると三角保護板に力が働くことを利用して、三角保護板にローラーを取付けさらにローラーを走らせるレールを取付けて三角保護板が移動する構造とし、三角保護板の移動を検知して乗客コンベアを停止させる装置が提案されている（特許文献１参照）。
【特許文献１】特開平０６−０７２６８３
【発明の開示】
【発明が解決しようとする課題】
【０００７】
しかし、上記特許文献１の装置は、水平天井部２あるいは隣接する乗客コンベアの外装部３にレールを取付け、取付けたレールにローラーを組み込んだ三角保護板を取付けるため、三角保護板６と移動手摺り１との間隔が狭くなり、三角保護板６と移動手摺り１との間に物体が狭まりやすくなる懸念があった。
【０００８】
さらに上記特許文献１の装置は、建屋の水平天井部２あるいは隣接する乗客コンベアの外装部３と交差するように走行する移動手摺り１との間に形成される三角形状部の空間への物体の進入を三角保護板の移動から検知する装置の不要動作の確率が高くなる懸念があった。
【０００９】
本発明は上記不都合を鑑みて為されたもので、その目的は、三角保護板と移動手摺りとの間の間隔を十分に確保でき、精度良く三角形状部での危険を検出可能な乗客コンベアの安全装置を提供するにある。
【課題を解決するための手段】
【００１０】
本発明は上記目的を達成するために、上下に離れた階床の相互間に傾斜して配置され、建屋の水平天井部あるいは隣接する乗客コンベアの外装部と、建屋の水平天井部あるいは隣接する乗客コンベアの外装部に対して交差するように走行する移動手摺りとの間に形成される三角形状部の空間固定された三角保護板へ一定以上の外力が働いた際、三角保護板の移動を検知し乗客コンベアを停止させる乗客コンベアの安全装置において、前記三角保護板は、建屋の水平天井部あるいは隣接する乗客コンベアの外装部に変位自在に取付けられる媒体の反移動手摺側面へ取付けたことを特徴とする。
【００１１】
本発明によれば、建屋の水平天井部あるいは隣接する乗客コンベアの外装部に変位自在に取付けられる媒体の反移動手摺側面へ三角保護板を取付けたため、三角保護板と移動手摺りとの間の間隔を十分に確保することができる。
【発明の効果】
【００１２】
本発明によれば、建屋の水平天井部あるいは隣接する乗客コンベアの外装部に変位自在に取付けられる媒体の反移動手摺側面へ三角保護板を取付けたため、三角保護板と移動手摺りとの間の間隔を十分に確保することができる。従って、精度良く三角形状部での危険を検出可能な乗客コンベアの安全装置を提供することが可能である。
【発明を実施するための最良の形態】
【００１３】
以下、本発明を実施するための最良の形態を図を用いて説明する。
【００１４】
本発明の詳細について説明する。
【００１５】
上下に離れた階床の相互間に傾斜して配置され、建屋の水平天井部２あるいは隣接する乗客コンベアの外装部３と、建屋の水平天井部２あるいは隣接する乗客コンベアの外装部３に対して交差するように走行する移動手摺り１との間に形成される三角形状部の空間において、建屋の水平天井部２あるいは隣接する乗客コンベアの外装部３にガイド１２を設けた媒体８取付け、さらに、媒体８に固定治具９を用いて三角保護板６を固定する。媒体８にガイド１２を設けることにより、三角保護板６に外力が働くと三角保護板６と媒体８が外力の働いた方向へ移動する。
【００１６】
三角保護板６、媒体８から一定量距離離れた位置に検出スイッチ１０を設置し、三角保護板６に外力が働いた際に三角保護板６と媒体８が外力の働いた方向へ移動したことを検出し、信号が制御装置１３に送られ乗客コンベアを停止させるが、三角保護板８と媒体８が外力を受けて移動する方向に抵抗となる物体１４を設置し、一定以上の外力が働かなければ一定量移動できないようにする。
【００１７】
そのため、三角保護板６に一定以上の外力が働き、三角保護板６と媒体８が外力の働いた方向へ一定量以上移動しなければ検出スイッチ１０では検知しないため、不要動作を軽減できる。
【００１８】
媒体８には建屋の水平天井部２あるいは隣接する乗客コンベアの外装部３の内部に入り込むようなプレート１５を設け、プレート１５の先に抵抗となる物体１４とスイッチ１０を設置することで抵抗となる物体１４とスイッチ１０は建屋の水平天井部２あるいは隣接する乗客コンベアの外装部３の内部に取付けることができ、水平天井部２あるいは隣接する乗客コンベアの外装部３の外側に取付ける部品を最小限に抑えることができる。
【００１９】
さらに本発明によれば、図５に示した通り、建屋の水平天井部２あるいは隣接する乗客コンベアの外装部３に変位自在に取付けられる媒体８の反移動手摺側面８ａへ三角保護板６を取付けたため、三角保護板６と移動手摺りとの間の間隔を十分に確保することができる。従って、精度良く三角形状部での危険を検出可能な乗客コンベアの安全装置を提供することが可能である。
【００２０】
その結果三角保護板６と移動手摺り１との間隔をほぼ現状の間隔で維持することができ、外観上も現状を保つことができる。
【００２１】
以上説明したように、本提案を用いることにより、三角保護板６と移動手摺り１との間隔をほぼ現状の間隔で維持することができ、三角形状部の空間への物体の進入を三角保護板の移動から検知する装置の不要動作を抑えることができる。また、外観についても現状のまま保つことができる。
【図面の簡単な説明】
【００２２】
【図１】本発明の実施形態の説明図
【図２】従来の構造の説明図
【図３】従来の構造の説明図
【図４】本発明の実施形態の拡大図
【図５】図４の側面図
【符号の説明】
【００２３】
１  移動手摺り
２  建屋の水平天井部
３  乗客コンベアの外装部
４  欄干
５  三角保護板
６  三角保護板
７  吊下げ具
８  媒体
９  固定治具
１０  検出スイッチ
１１  欄干支持部
１２  ガイド
１３  制御装置
１４  抵抗となる物体
１５  プレート
２ａ  建屋の水平天井部
３ａ  乗客コンベアの外装部
５ａ  三角保護板
６ａ  三角保護板
７ａ  吊下げ具
８ａ  媒体
９ａ  固定治具
【図１】
2006327788.tif 000003
【図２】
2006327788.tif 000004
【図３】
2006327788.tif 000005
【図４】
2006327788.tif 000006
【図５】
2006327788.tif 000007